(57)【要約】【課題】本発明は熱交換によりサーバから排出される高熱の排気の温度を低減することができる消熱ブランクパネル及びそれを用いたサーバラックを提供すること。【解決手段】本発明の消熱ブランクパネルは、サーバラックの前面に配設される消熱ブランクパネルであって、前記サーバラックに搭載されたサーバユニットからの熱を振動による運動エネルギーに変換するエネルギー交換材料を有することを特徴とする。【選択図】  図１
2015114914.tif 000002
【特許請求の範囲】
【請求項１】
サーバラックに配設される消熱ブランクパネルであって、
前記サーバラックに搭載されたサーバユニットからの熱を振動による運動エネルギーに変換するエネルギー交換材料を有すること
を特徴とする消熱ブランクパネル。
【請求項２】
搭載されたサーバユニットからの熱を振動による運動エネルギーに変換するエネルギー交換材料を有する消熱ブランクパネルを前面に備えたこと
を特徴とするサーバラック。
【請求項３】
複数段にわたり複数のサーバユニットが搭載可能であり、
前記サーバユニットの熱量に応じて、前記エネルギー交換材料の含有量が異なる複数種類の消熱ブランクパネルを前記複数段にわたり混在させて配設可能としたこと
を特徴とする請求項２に記載のサーバラック。
【発明の詳細な説明】
【技術分野】
【０００１】
本発明は、消熱ブランクパネル及びそれを用いたサーバラックに関する。
【背景技術】
【０００２】
従来、インターネットデータセンタ（ＩＤＣ）や各種企業の情報システム室等ではサーバラックに複数の薄型のサーバコンピュータを積層して設置しているが、各サーバコンピュータ内のＣＰＵ等からの発熱をいかに冷却するかが課題とされている。
【０００３】
このような課題に着目して、サーバラックに専用の冷却システムを配設することが行われている。このような冷却システムは、サーバラックの上部等に設置され、部屋の排熱に焦点を当てた部分単位の冷却から、個々のラックを適切に冷却するラック単位の冷却への転換をサポートしている。
【０００４】
例えば特許文献１では、サーバユニットを複数着脱可能に積層したサーバラックにおいて、各サーバユニット内のマザーボードに搭載された複数のＣＰＵ等の発熱素子の熱を直接的に、屋外へ排出する冷却システムが開示されている。
【０００５】
さらに、例えば特許文献２では、装置内に空冷部と液冷部を兼備するサーバラック冷却装置が開示されている。同技術では、ラック排気は、空冷部の熱交換用パイプ群表面を通過する際に、冷媒との熱交換により冷却されるようになっている。
【０００６】
一方、サーバラックは、前面から冷気を取り込んで、背面から熱気を排気するものが一般的であるが、高熱の排気が、再び前面側に還流してサーバラック内に取り込まれることを防止すべく、ブランクパネルが用いられている。このブランクパネルによれば、サーバラック周りの空気の流れを最適化することが期待できる。
【先行技術文献】
【特許文献】
【０００７】
【特許文献１】特開２０１３−６５２２７号公報
【特許文献２】特開２０１３−８８８８号公報
【発明の概要】
【発明が解決しようとする課題】
【０００８】
しかしながら、従来技術に係るブランクパネルは、サーバラック周りの空気の流れを最適化するにとどまり、サーバラックに搭載されたサーバユニットのＣＰＵ等の発熱素子の熱を消熱する機能を備えたブランクパネルは存在しなかった。
【０００９】
そこで、本発明は上記課題に鑑みてなされたもので、熱交換によりサーバから排出される高熱の排気の温度を低減することができる消熱ブランクパネル及びそれを用いたサーバラックを提供することを目的とする。
【課題を解決するための手段】
【００１０】
上述技術的な課題を解決するため、本発明の一態様に係る消熱ブランクパネルは、サーバラックの前面に配設される消熱ブランクパネルであって、前記サーバラックに搭載されたサーバユニットからの熱を振動による運動エネルギーに変換するエネルギー交換材料を有することを特徴とする。
【００１１】
本発明の他の態様に係るサーバラックは、搭載されたサーバユニットからの熱を振動による運動エネルギーに変換するエネルギー交換材料を有する消熱ブランクパネルを前面に備えたことを特徴とする。
【発明の効果】
【００１２】
本発明に係る消熱ブランクパネル及びそれを用いたサーバラックによれば、熱交換によりサーバから排出される高熱の排気の温度を低減することが可能となる。
【図面の簡単な説明】
【００１３】
【図１】（ａ）及び（ｂ）は、本発明の一実施形態に係る消熱ブランクパネルの構成図である。
【図２】本発明の一実施形態に係る消熱ブランクパネルを設けたサーバラックを前面から見た様子を示す図である。
【図３】（ａ）は実証試験の対象としたサーバラックの構成を示す図であり、（ｂ）はサーバラックの内部に搭載した熱源を示す図である。
【図４】（ａ）乃至（ｅ）は、実施例の試験結果を示す図である。
【図５】（ａ）乃至（ｅ）は、比較例の試験結果を示す図である。
【発明を実施するための形態】
【００１４】
以下、本発明の消熱ブランクパネル及びそれを用いたサーバラックに係る好適な実施形態について図面を参照しながら説明する。なお、本発明の消熱ブランクパネル及びそれを用いたサーバラックは、以下の記述に限定されるものではなく、本発明の要旨を逸脱しない範囲において、適宜変更可能である。
【００１５】
先ず、サーバラックとは、複数段の各段にサーバコンピュータを載置可能とした筺体であって、一般に、ＥＩＡ規格であれば、１９インチのサーバラックは、１段の大きさが幅１９インチ、高さ１．７５インチとなっており、奥行きは自由に定めることができる。このようなサーバラックにおいて、１段に収まる大きさを１Ｕと定義する。ブランクパネルとは、このようなサーバラックの前面に配設される平板状のパネルであって、上記１Ｕの単位に相当する大きさとなっており、一般には複数のブランクパネルが、重なることなく配列されて、サーバラックの背面に配設される。
【００１６】
図１（ａ）,(ｂ)には、本発明の一実施形態に係る消熱ブランクパネルの構成を示し説明する。より詳細には、図１（ａ）は、一実施形態に係る消熱ブランクパネルの平面図を示し、図１（ｂ）は、当該消熱ブランクパネルの側面図を示している。
【００１７】
同図に示されるように、消熱ブランクパネル１は、平板部２からなり、そのサイズは例えば縦４４ｍｍ、横４８５ｍｍとなっている。そして、両端に、サーバラックの開口部に挿入され勘合される凸状の勘合部３を備えた装着部４が設けられている。この装着部４の勘合部３がサーバラックの開口部に挿入され勘合されることで、簡易に消熱ブランクパネル１を１Ｕごとにサーバラックの背面に装着することができる。
【００１８】
この消熱ブランクパネル１の平板部２は、例えばＡＢＳ樹脂を材料としており、当該材料が、サーバラックに搭載されたサーバユニットからの熱を振動による運動エネルギーに変換する物質を含むエネルギー交換材料を有していることを特徴とする。このエネルギー交換材料は、熱を検知すると振動（運動）し、熱を消す効果がある。材質としては、エネルギー交換材料を有した耐熱性樹脂を採用できる。この他、エネルギー交換材料を有した塩化ビニル樹脂（ＰＶＣ）やアセタール樹脂（ＰＯＭ）等も採用できる。但し、これらに限定されないことは勿論である。
【００１９】
すなわち、この実施形態によれば、サーバラックの前面に配設される消熱ブランクパネル１であって、前記サーバラックに搭載されたサーバユニットからの熱を振動による運動エネルギーに変換するエネルギー交換材料を有することを特徴とする消熱ブランクパネルが提供されることになる。
【００２０】
図２は、本実施形態に係る消熱ブランクパネル１が、実際にサーバラック１０の前面に装着された様子を前面から見た様子を示している。ここでは、３７Ｕの消熱ブランクパネル１が、長手方向が横向きとなるように平行に交差することなく並べられて、配設されている。サーバラック１０への消熱ブランクパネル１の装着は、前述したように装着部３をサーバラック１０の不図示の開口部に挿入し勘合させることで簡易に行われる。
【００２１】
従って、本実施形態によれば、搭載されたサーバユニットからの熱を振動による運動エネルギーに変換するエネルギー交換材料を有する消熱ブランクパネル１を前面に備えたことを特徴とするサーバラック１０が提供される。尚、消熱ブランクパネル１を前面と共に、或いは前面に代えて背面に設けるようにしてもよい。
【００２２】
また、複数段にわたり複数のサーバユニットが搭載可能であり、前記サーバユニットの熱量に応じて、前記エネルギー交換材料の含有量が異なる複数種類の消熱ブランクパネル１を前記複数段にわたり混在させて配設可能としてもよい。
【００２３】
以上説明した、本発明の実施形態に係る消熱ブランクパネルによれば、熱交換によりサーバから排出される高熱の排気を消熱し、その温度を低減することが可能となる。したがって、サーバラックの後面から排出された高温の排気が室内の対流により当該サーバラックの前面から回り込み、載置されたサーバコンピュータに取り込まれることを防止することができる。
【実施例】
【００２４】
図３（ａ）に示されるように、３７Ｕのブランクパネル１０１が搭載可能なサーバラック１００を用いて実証試験を行った。詳細には、鉄製ブランクパネルと本実施例に係る消熱ブランクパネルを同条件でサーバラックに装着し、熱源を図３（ｂ）に示されるようにラック内に３箇所（上段、中段、下段）設置し、１１分３０秒間だけ加熱し、加熱前、加熱後６分３０秒、１１分３０秒、熱源消後５分後、１０分後でのラック内の温度上昇を測定した。
【００２５】
熱源としては、
上段：ハロゲン投光機１０２  消費電力５００Ｗ
中段：ヒータ１０３          消費電力６００Ｗ
下段：ヒータ１０４          消費電力６００Ｗ
を用いた。
【００２６】
この実証試験に用いたサーバラック１００のサイズは幅：Ｗ７００、奥行き：Ｄ１０００、高さ：Ｈ１７５０であった。そして、比較例に係る鉄製ブランクパネルの材質はＳＰＣＣ、板厚１．０ｍｍ、実施例に係る消熱ブランクパネルの材質は熱を運動エネルギーに変換するエネルギー変換材料を有するＡＢＳ樹脂、板厚２．０ｍｍであった。
【００２７】
図４，５は、上記のような条件下で行われた実証試験の結果を示している。即ち、より詳細には、図４（ａ）乃至（ｅ）は、実施例に係る消熱ブランクパネルに関する試験結果を示しており、図５（ａ）乃至（ｅ）は、比較例に係る鉄製ブランクパネルに関する試験結果を示している。
【００２８】
これらの図の比較からも明らかなように、実施例に係る消熱ブランクパネルは、加熱前の状態から（図４（ａ），５（ａ）参照）、加熱後６分３０秒の段階で既に比較例よりも低温となっており（図４（ｂ），５（ｂ）参照）、その後、加熱後１１分３０秒後においても比較例に比して低温の状態を保っている（図４（ｃ），５（ｃ）参照）。更に、熱源消後５分において比較例よりも温度低下が表われ（図４（ｄ），５（ｄ）参照）、熱源消後１０分後ではその差が更に大きくなっている（図４（ｅ），５（ｅ）参照）。
【００２９】
これらより、実施例に係る消熱ブランクパネルの方が、比較例に係る鉄製ブランクパネルよりも消熱の効果が高いことが明らかとなった。
【符号の説明】
【００３０】
１  消熱ブランクパネル
２  平板部
３  装着部
４  勘合部
１０  サーバラック
１００  サーバラック
１０１  ブランクパネル
１０２  ハロゲン投光機
１０３  ヒータ
１０４  ヒータ
【図１】
2015114914.tif 000003
【図２】
2015114914.tif 000004
【図３】
2015114914.tif 000005
【図４】
2015114914.tif 000006
【図５】
2015114914.tif 000007